(57)【要約】  各アームが付勢磁石要素１５４を有する、一対の離間されたアーム１５０、１５２を備えた基端部１６を有するハンドル１２を備えた剃毛かみそりシステム１０。接続基部２０は、一対の離間されたアームに枢動可能に取り付けられる。接続基部は、一対の離間されたタブ１２８、１３０を有し、各タブは離間されたアームの各端部を受容するような寸法の開口部１３６、１３８を画定する。各タブ部材は、付勢磁石要素１２４、１２６を有し、この付勢磁石要素１２４、１２６は、対応するアームの付勢磁石要素と反発する。
2016539743.tif 000002
【特許請求の範囲】
【請求項１】
剃毛かみそりシステム（１０）であって、
開口部（１３６、１３８）をそれぞれ、画定する一対の離間されたタブ部材（１２８、１３０）を有する接続基部（２０）と、
細長い把持部分（１４）と、一対の離間されたアーム（１５０、１５２）であって、前記タブ部材の各開口部内に位置決めされた端部（１５８，１６０）を、それぞれ、有するアーム（１５０、１５２）を備えた基端部（１６）とを有するハンドル（１２）と、を含み、
前記各アームの前記端部は、前記対応するタブの上壁部（１４４、１４６）および下壁部（１７０、１７２）相互間の前記対応する開口部内で回転し、
前記各アームの前記端部は、静止状態の場合、前記タブ部材の前記各上壁部から磁力によって離間される剃毛かみそりシステム（１０）。
【請求項２】
前記接続基部（２０）は、前記細長い把持部分（１４）を概ね横断するピボット中心線（Ｐ１）の周りで動くのを可能にするように、前記ハンドル（１２）の前記近位端（１６）に枢動可能に取り付けられる、請求項１に記載の剃毛かみそりシステム（１０）。
【請求項３】
前記各タブ部材（１２８、１３０）は、付勢磁石要素（１２４、１２６）を有し、前記付勢磁石要素（１２４、１２６）は、前記対応するアーム（１５０、１５２）の付勢磁石要素（１５４、１５６）と反発する、請求項１又は請求項２に記載の剃毛かみそりシステム（１０）。
【請求項４】
前記上壁部（１４４、１４６）はそれぞれ、各ポケット（１３２、１３４）を画定し、前記各ポケットは、前記各磁石要素（１２６、１２４）を受容し、前記各磁石要素（１２６１、１２４）は、前記対応するポケット内部に取り付けられる、請求項３に記載の剃毛かみそりシステム（１０）。
【請求項５】
前記付勢磁石要素（１２４、１２６、１５４、１５６）のうちの少なくとも１つは、セラミック磁石である、請求項３又は請求項４に記載の剃毛かみそりシステム。
【請求項６】
前記付勢磁石要素（１２４、１２６、１５４、１５６）のうちの少なくとも１つは、ネオジウム、鉄、ホウ素を含む、請求項３又は請求項４に記載の剃毛かみそりシステム。
【請求項７】
前記付勢磁石要素（１２４、１２６、１５４、１５６）のうちの少なくとも１つは、めっき又はコーティングされている、請求項３又は請求項４に記載の剃毛かみそりシステム。
【請求項８】
前記付勢磁石要素（１２４、１２６、１５４、１５６）のうちの少なくとも１つは、プラスチック又はゴムによってコーティングされている、請求項７に記載の剃毛かみそりシステム。
【請求項９】
前記付勢磁石要素（１２４、１２６、１５４、１５６）のうちの少なくとも１つは、ニッケルによってコーティングされている、請求項７に記載の剃毛かみそりシステム。
【請求項１０】
前記接続基部（２０）に取り付けられた取り外し可能な剃毛カートリッジ（３０）を更に備える、請求項１乃至請求項９のうちのいずれか一項に記載の剃毛かみそりシステム（１０）。
【請求項１１】
前記取り外し可能なかみそりカートリッジ（３０）は、ガード（３４）と、キャップ（３６）と、ハウジング（３２）に前記キャップ（３６）と前記ガード（３４）との間で取り付けられた１つ以上の刃（３８）とを備えた前記ハウジング（３２）を有する、請求項１０に記載の剃毛かみそりシステム（１０）。
【請求項１２】
前記ハウジング（３２）は、開口部（７２）を画定する内部接続部材（５４）を含む、請求項１０又は請求項１１に記載の剃毛かみそりシステム（１０）。
【請求項１３】
前記相互接続部材（５４）の前記開口部（７２）は、前記接続基部（２０）の中間壁部（１２０）を受容する、請求項１２に記載の剃毛かみそりシステム（１０）。
【請求項１４】
各開口部（１３６、１３８）は、前記対応するタブ部材（１２８、１３０）の各側端壁部（１４０、１４２）へと延びる、請求項１乃至請求項１３のうちのいずれか一項に記載の剃毛かみそりシステム（１０）。
【請求項１５】
前記側端壁部（１４０、１４２）は、前記上壁部（１４０、１４６）を概ね横断する、請求項１４に記載の剃毛かみそりシステム（１０）。
【発明の詳細な説明】
【技術分野】
【０００１】
本発明は、剃毛かみそり及びかみそりカートリッジに関し、より詳しくは、湿式剃毛用の枢動する剃毛かみそりハンドルに関する。
【背景技術】
【０００２】
上記のように、本発明は、ハンドルに対して枢動する動きができるように構成された刃ユニットを備える安全かみそりに関し、剃毛過程において刃ユニットは、ハンドルに担持される。枢動する動きによって刃ユニットはより容易に皮膚の輪郭をなぞることができるので、良好な剃毛性能及び効率を達成するために、皮膚に対してハンドルを保持する角度を厳密にすることはそれほど重要ではない。枢動可能な刃ユニットを備えるかみそりは、成功裡に長年市販されてきた。通常刃の先端に平行して延びる従来のピボット中心線は、ハンドルが刃ユニットに接続されるピボット構造によって画定され得る。あるいは、刃ユニットは、１つ以上の刃と他の皮膚接触部とを組み込むフレーム又はハウジングが枢動可能に接続される取り付け部材を含んでもよい。この形態の刃ユニットは、参照によりその内容が本明細書に組み込まれる国際公開第９７／３７８１９号に記載されており、これは、一般的なヨーク形態の取り付け部材を有しており、ハンドルの上端部と係合するためのハブと、反対方向に方向付けられた一対のアームとが備えられており、このアームの両端部には、フレームの両端に設けられたソケット内で係合するためのピボットジャーナルが設けられている。ピボットジャーナルをソケット内部に維持するための保持クリップが、フレームの各端部の周りに適用されている。
【０００３】
刃縁部に対して様々なピボット中心線位置が提案され使用されてきており、これには、ガード及びキャップ表面に対する接平面の上方及び下方の位置、並びに刃縁部の前、後ろ及びその領域内の位置が挙げられる。一般的に、枢動可能な刃ユニットがばね構成によって付勢される静止状態が存在し、従来技術において多くの異なる形態の機械的ばね構成が提案されてきた。刃ユニットは、静止状態からいずれかの方向に枢動するように取り付けられ得るが、国際公開第９３／１０９４７号に記載されるように、静止状態から一方向にのみ枢動するように構成された刃ユニットに関しては、ピボット中心線を刃の前、より正確にはガードの付近、ガード及びキャップ表面に対する接平面の下方に配置されるように有するのが有利であることが見出されてきた。出願人が現在市販するマッハ３かみそりにおいて、刃ユニットは、このような方法で枢動可能に取り付けられている。これは、ハンドルに接続するための上記のような取り付け部材を含み、この取り付け部材には、ばね荷重されたプランジャが存在し、このプランジャは、ハンドルから突出し、取り付け部材のハブを通って、刃ユニットを静止状態へと付勢するようにフレームの下面を圧迫する。小型のコイル型ばねはプランジャを外側に促す。
【先行技術文献】
【特許文献】
【０００４】
【特許文献１】国際公開第９７／３７８１９号
【特許文献２】国際公開第９３／１０９４７号
【発明の概要】
【発明が解決しようとする課題】
【０００５】
このような機械的ばね構成では避けられない摩擦の影響を制御することは難しく、その結果、滑らかで一定のピボット性能を保障することは難しい。
【課題を解決するための手段】
【０００６】
１つの態様において、本発明は、概して、ハンドルを備えた単純で効率的な剃毛かみそりシステムを特徴とし、このハンドルは、一対の離間されたアームを備えた基端部を有し、各アームは、付勢磁石要素を有する。接続基部は、一対の離間されたアームに枢動可能に取り付けられる。接続基部は、一対の離間されたタブを有し、それぞれのタブは、離間されたアームの各端部を受容するような寸法の開口部を画定する。各タブ部材は、付勢磁石要素を有し、この付勢磁石要素は対応するアームの付勢磁石要素と反発する。
【０００７】
別の態様において、本発明は、概して、接続基部を備えた単純で効率的な剃毛かみそりシステムを特徴とし、この接続基部は、開口部をそれぞれ画定する一対の離間されたタブを有する。ハンドルは、細長い把持部分と、一対の離間されたアームを備えた基端部とを有する。各アームは、対応するタブの各開口部内に位置決めされた端部を有する。各アームの端部は、対応するタブの上壁部及び下壁部相互間の対応する開口部内を回転する。各アームの端部は、タブ部材の各上壁部から磁力によって離間される。
【０００８】
本発明の１つ以上の実施形態の詳細は、添付の図面及び下記の説明で述べられる。特定の実施形態は、特に明記しない限り、一般的に開示されるが組み合わせて明示的に例証又は要求されない本発明の要素又は構成部品を組み合わせることができることが理解される。本発明の他の特徴及び利点は、説明及び図面、並びに特許請求の範囲から明らかになるだろう。
【図面の簡単な説明】
【０００９】
【図１】剃毛かみそりシステムの斜視図である。
【図２Ａ】図１の剃毛かみそりシステムに組み込まれ得る取り外し可能な剃毛かみそりカートリッジの正面斜視図である。
【図２Ｂ】図２Ａの取り外し可能な剃毛かみそりカートリッジの背面斜視図である。
【図３】図１の剃毛かみそりシステムに組み込まれ得る接続基部の正面斜視図である。
【図４】図３の接続基部の背面斜視組立図である。
【図５Ａ】図１の剃毛かみそりシステムの背面斜視組立図である。
【図５Ｂ】図１の剃毛かみそりシステムの正面斜視組立図である。
【図６】図１の剃毛かみそりシステムの拡大正面図である。
【図７】図１のかみそりの概略正面図である。
【図８】図６の線８−８に沿った剃毛かみそりシステムの加熱器バーのかみそりカートリッジの断面図である。
【発明を実施するための形態】
【００１０】
図１を参照すると、剃毛かみそりシステム１０の斜視図が示される。この剃毛かみそりシステム１０は、基端部１６と遠位端部分１８とを備えた細長い把持部分１４を有するハンドル１２を含んでもよい。接続基部２０は、ハンドル１２の基端部１６に取り付けられてもよい。特定の実施形態では、接続基部２０は、ハンドル１２の基端部１６に枢動可能に取り付けられてもよく、これにより、細長い把持部分１４を概ね横断するピボット中心線Ｐ１を中心とした動きが可能になる（例えば、接続基部２０は、ハンドル１２の、及び／又は取り外し可能なかみそりカートリッジ３０の１つ以上のピン部材２５を中心として枢動してもよい。）加熱器バー２２は、ハンドル１２の接続基部２０に接合されてもよい（すなわち、加熱器バー２２は、通常の剃毛条件下では取り除くことができない）。したがって、加熱器バー２２は、ハンドル１２に対して枢動してもよい。加熱器バー２２は、剃毛ストローク中の温まる感覚を提供するために、ハンドル１２内部に位置付けられた電源（例えば、図示されない再充電可能バッテリ）に動作可能に接続されてもよい。ハンドル１２は、加熱器バー２２の動作を制御するためのスイッチ２４を有してよい。
【００１１】
剃毛かみそりシステム１０は、取り外し可能なかみそりカートリッジ３０を含んでもよい。取り外し可能なかみそりカートリッジ３０は、ガード３４と、キャップ３６と、ハウジング３２にキャップ３６とガード３４との間で取り付けられた少なくとも１つ以上の刃３８と、を有するハウジング３２を有してもよい。ガード３４及びキャップ３６は、ガード３４及びキャップ３６の接線方向にある剃毛面を画定してもよい。ガード３４は、刃３８に対して概ね平行に延びる中実のバーであってもよく、又は分割されたバーであってもよい。特定の実施形態では、ガード３４は、刃３０の前に剃毛ストローク中の皮膚を伸ばすための皮膚係合部材４０（例えば、複数のフィン）を備えてもよい。特定の実施形態では、皮膚係合部材４０は、ハウジング３２に対してインサート射出成形又は共射出成形されてもよい。しかしながら、接着剤、超音波溶接、又は機械的締結具などの他の既知の組立方法もまた使用されてよい。皮膚係合部材４０は、ハウジング３２よりも軟性（すなわち、低デュロメータ硬度）の材料から成形されてもよい。例えば、皮膚係合部材４０は、約２０、３０、又は４０〜約５０、６０、又は７０のショアＡ硬さを有してもよい。皮膚係合部材４０は、熱可塑性エラストマー（ＴＰＥ）又はゴムで作製され得、例としては、シリコーン、天然ゴム、ブチルゴム、ニトリルゴム、スチレンブタジエンゴム、スチレンブタジエンスチレン（ＳＢＳ）ＴＰＥ、スチレンエチレンブタジエンスチレン（ＳＥＢＳ）ＴＰＥ（例えば、Ｋｒａｔｏｎ）、ポリエステルＴＰＥ（例えば、Ｈｙｔｒｅｌ）、ポリアミドＴＰＥ（Ｐｅｂａｘ）、ポリウレタンＴＰＥ、ポリオレフィン系ＴＰＥ、及びこれらのＴＰＥの任意のブレンド（例えば、ポリエステル／ＳＥＢＳブレンド）が挙げられるが、これらに限定されない。特定の実施形態では、皮膚係合部材４０は、Ｋｒａｉｂｕｒｇ  ＨＴＣ  １０２８／９６、ＨＴＣ  ８８０２／３７、ＨＴＣ  ８８０２／３４、又はＨＴＣ  ８８０２／１１（ＫＲＡＩＢＵＲＧ  ＴＰＥ  ＧｍｂＨ  ＆  Ｃｏ．ＫＧ（Ｗａｌｄｋｒａｉｂｕｒｇ，Ｇｅｒｍａｎｙ））を備えてよい。より軟質の材料は、皮膚の伸張を増し、並びに、剃毛中のユーザーの皮膚により好ましい感触を提供し得る。より軟質の材料はまた、剃毛中のユーザーの皮膚に当たるハウジング３２及び／又はフィンのより硬い材料の不快な感覚を感じ難くするのを補助する。
【００１２】
特定の実施形態では、刃３８は、ハウジング３２に取り付けられて、１つ以上のクリップ４２ａ及び４２ｂによって固定されてもよい。当業者に良く知られた他のアセンブリ方法もまた、刃３８のハウジング３２への固定及び／又は取り付けに使用してもよく、それらは、ワイヤラッピング、冷間成形、熱間かしめ、インサート成形、超音波溶着、及び接着剤を含むが、これらに限定されない。クリップ４２ａ及び４２ｂは、熱を伝導し、刃３８が腐食するのを防止するのを助けるための犠牲アノードとして作用するアルミニウムなどの金属を含んでもよい。５枚の刃３８が示されているが、ハウジング３２は、取り外し可能なかみそりカートリッジ３０の所望の性能及び費用に応じて、これよりも多い枚数又は少ない枚数の刃を有してよい。以下に詳述されるように、一旦刃３８の切れ味が悪くなる（又は損傷する）と、消費者は、接続基部２０から取り外し可能なかみそりカートリッジ３０を摺動して係合離脱させ、使用済みの取り外し可能なかみそりカートリッジ３０を新しいものと取り替えてもよい。取り外し可能なかみそりカートリッジ３０は、接続基部２０上をハンドル１２の細長い把持部分１４に概ね平行な方向へと及び方向から摺動されてもよい。
【００１３】
キャップ３６は、ハウジング３２に取り付けられた別個の成形品（例えば、剃毛補助剤が充填されたリザーバ）、又は押出成形構成要素（例えば、押出成形された潤滑ストリップ）であってもよい。特定の実施形態では、キャップ３６は、皮膚を支持するための及び剃毛面を画定するためのプラスチック又は金属のバーであってもよい。キャップ３６は、ハウジング３２と同じ材料で成形若しくは押出成形されてよく、又は剃毛中の快適さを増すために、１つ以上の水滲出性の剃毛補助剤材料を有するより潤滑な剃毛補助剤複合材料で成形又は押出成形されてよい。剃毛補助剤複合材料は、非水溶性ポリマーと、皮膚潤滑性の水溶性ポリマーと、を含んでよい。ポリエチレン、ポリプロピレン、ポリスチレン、ブタジエン−スチレンコポリマー（例えば、中耐衝撃性ポリスチレン及び高耐衝撃性ポリスチレン）、ポリアセタール、アクリロニトリル−ブタジエン−スチレンコポリマー、エチレンビニルアセテートコポリマー、ポリプロピレン／ポリスチレンブレンドなどのブレンドを含むが、これらに限定されない、使用され得る好適な非水溶性ポリマーは、Ｍｏｂｉｌ  ４３２４（Ｍｏｂｉｌ  Ｃｏｒｐｏｒａｔｉｏｎ）などの高耐衝撃性ポリスチレン（すなわち、ポリスチレン−ブタジエン）を有してよい。
【００１４】
好適な皮膚潤滑性の水溶性ポリマーとしては、ポリエチレンオキシド、ポリビニルピロリドン、ポリアクリルアミド、ヒドロキシプロピルセルロース、ポリビニルイミダゾリン、及びポリヒドロキシエチルメタクリレートが挙げられてよい。他の水溶性ポリマーとしては、一般にＰＯＬＹＯＸ（Ｕｎｉｏｎ  Ｃａｒｂｉｄｅ  Ｃｏｒｐｏｒａｔｉｏｎから入手可能）又はＡＬＫＯＸ（Ｍｅｉｓｅｉ  Ｃｈｅｍｉｃａｌ  Ｗｏｒｋｓ（Ｋｙｏｔａ，Ｊａｐａｎ）から入手可能）として知られるポリエチレンオキシドが挙げられてよい。これらのポリエチレンオキシドは、約１０万〜６００万、例えば、約３０万〜５００万の分子量を有してよい。ポリエチレンオキシドは、約５００万の平均分子量を有する、約４０〜８０％のポリエチレンオキシド（例えば、ＰＯＬＹＯＸ  ＣＯＡＧＵＬＡＮＴ）と、約３０万の平均分子量を有する約６０〜２０％のポリエチレンオキシド（例えば、ＰＯＬＹＯＸ  ＷＳＲ−Ｎ−７５０）と、のブレンドを含んでよい。ポリエチレンオキシドブレンドはまた、ＰＥＧ−１００などの低分子量（すなわち、ＭＷ＜１０，０００）ポリエチレングリコールの最大約１０重量％を含有してよい。
【００１５】
剃毛補助剤複合材料はまた、所望に応じて、シクロデキストリン（cylcodextrin）、ポリエチレングリコール（例えば、１〜１０重量％）など低分子量の水溶性放出促進剤、架橋ポリアクリル酸（例えば、２〜７重量％）など水膨潤性放出促進剤、着色剤、酸化防止剤、防腐剤、殺菌剤、ひげ軟化剤、収れん剤、除毛剤、薬剤、コンディショニング剤、加湿剤、冷却剤などと皮膚鎮静剤との包接錯体を含んでよい。
【００１６】
図２Ａを参照すると、図１の取り外し可能な剃毛かみそりカートリッジ３０の正面斜視図が示されている。各クリップ４２ａ及び４２ｂの第１端部分４４ａ及び４４ｂは、ハウジング３２の背部４８にある各第１開口４６ａ及び４６ｂそれぞれを通って延びてもよい。クリップ４２ａ及び４２ｂのそれぞれの第２端部分５０ａ及び５０ｂは、刃３８を適所に固定するようにハウジングの正面５２の周りを覆ってもよい。以下に詳細に記載するように、クリップ４２ａ及び４２ｂを開口４６ａ及び４６ｂに挿入することにより、刃を保持するためのクリップ４２ａ及び４２ｂのハウジング３２への固定強度を増加させてもよく、更に、クリップ４２ａ及び４２ｂがハウジング３２の正面５２の周りに覆うことにより、（図３に図示されるような）加熱器バー２２からクリップ４２ａ及び４２ｂへの熱伝達を改善してもよい（例えば、加熱器バー２２はクリップ４２ａ及び４２ｂに接触してもよい）。したがって、熱は、取り外し可能な剃毛かみそりカートリッジ３０のより大きな表面積へ適用されてもよい。皮膚係合部材４０及び／又はガード３４は、ハウジング３２の正面５２及び／又はクリップ４２ａ若しくは４２ｂを超えて延びてもよい。
【００１７】
図１に示すように、ハウジング３２は、取り外し可能な剃毛かみそりカートリッジ３０をハンドル１２に取り付けるための内部接続部材５４を有してもよい。内部接続部材５４は、ハンドル取り付け表面５６を有してもよく、これは、ハンドル１２の接続基部２０上の対応する表面と係合させるためのものである。ハンドル取り付け表面５６は、少なくとも１つの磁石構成要素５８及び６０を有してもよい。ハンドル取り付け表面５６は、磁石構成要素５８及び６０を備えた少なくとも１つのポケット６２及び６４を画定してもよく、この磁石構成要素５８及び６０は、対応するポケット６２及び６４内に取り付けられる。ハンドル取り付け表面５６は、単一の磁石構成要素を備えた細長いポケット、又は対応する磁石構成要素を保持するための一対のより小型の離間したポケットを有してもよい。磁石構成要素５８及び６０によって及ぼされる力Ｆ１の方向は、取り外し可能剃毛かみそりカートリッジ３０を取り外すために、及び取り付けるために適用される力Ｆ２を概ね横断してもよい。これにより、取り外し可能剃毛かみそりカートリッジ３０を取り付ける力及び取り外す力は、消費者が取り扱いが楽になるように低減され得る（取り外す力に対して平行な方向に及ぼされる磁力と比較して）。加えて、取り外し可能なかみそりカートリッジ３０の取り付ける力及び／又は取り外す力は、より勾配が付けられてもよい。例えば、磁石構成要素によって及ぼされる力が取り付ける力／取り除く力に対して平行な方向である場合、より急で、より大きな力が必要とされてもよい。
【００１８】
図２Ｂを参照すると、図２Ａの取り外し可能な剃毛かみそりカートリッジ３０の背面斜視図が図示されている。特定の実施形態では、内部接続部材５４は、ハウジング３２の一部であってもよい。しかしながら、内部接続部材５４もまた、ハウジング３２に別個に取り付けられてもよく、又は接合されてもよい。内部接続部材５４は、ハウジング３２の底面７０から延びてもよい。開口部７２は、ハンドル１２の接続基部２０の対応する特徴部と嵌合するための内部接続部材５４によって画定されてもよい。内部接続部材５４は、開口部７２を画定する内部前壁部、後壁部及び対向する側壁部（それぞれ７４、７６、７８及び８０）を有してもよい。特定の実施形態では、内部壁部７４、７６、７８、及び８０は平滑であってもよい。例えば、内部壁部７４、７６、７８、及び８０は、内部接続部材を接続基部に固定するための任意のラッチ機構又は特徴部を有していなくてもよい。このようなラッチ機構は、剃毛中、磁石構成要素５８及び６０がハンドルに対して取り外し可能なかみそりカートリッジ３０を固定するように使用されるので、必要とされなくてもよい。特定の実施形態では、開口部７２は、内部接続部材５４と内部接続基部２０との適切な位置合わせ、及び磁石構成要素６０及び５８と接続基部の１つ以上の対応する磁石構成要素との適切な位置合わせを提供してもよい。
【００１９】
図３を参照して、接続基部２０の正面斜視図が示されている。接続基部２０の加熱器バー２２は、図１に示されるように、刃３８に対して概ね平行に延びる細長い部分８２を有してもよい（例えば、ハンドル１２の細長い把持部分１４を横断する）。一対の横方向端部分８４及び８６は、細長い部分８２から刃３８を概ね横切る方向に延びてもよい（例えば、刃３８に向かって及び／又はハンドル１２の把持部分１４から離れるように）。横方向端部分８４及び８６のそれぞれは、各ノッチ８８及び９０を有してもよい。例えば、ノッチ８８及び９０は、横方向端部分８４及び８６の各後端壁部９２及び９４上に配置されてもよい。ノッチ８８及び９０は、各クリップ４２ａ及び４２ｂの少なくとも一部分を受容するような寸法であってもよい。加熱器バー２２は、ハウジング３２の少なくとも一部分を受容する及び／又は支持するような寸法の凹部９６を画定してもよい（例えば、皮膚接触部材４０）。凹部９６は、加熱器バー２２の細長い部分８２の後壁部９８及び横方向端部分８４及び８６のそれぞれの側壁部１００及び１０２によって画定されてもよい。加熱器バー２２はまた、加熱器バー２２の皮膚接触表面１０６の下方、後方及び下方に位置付けされる凹部表面１０４（すなわち、前壁部及び側壁部に接続する下壁部）を有してもよい。凹部表面は、ハウジングの少なくとも一部分を支持してもよい（例えば、皮膚接触部材４０）。
【００２０】
図４を参照して、図３の接続基部２０の背部斜視組立図が示されている。接続基部２０は、取り外し可能なかみそりカートリッジ３０のハンドル取り付け表面５６に対応するハウジング取り付け表面１１０を有してもよい。ハウジング取り付け表面１１０は、少なくとも１つの磁石要素１１２及び１１４を有してもよく、この磁石要素１１２及び１１４は、図２Ａのハンドル取り付け表面５６の対応する磁石要素６０及び５８に係合する。例えば、ハウジング取り付け表面１１０は、単一の磁石構成要素を備えた細長いポケット、又は一対のより小型の離間したポケット１１６及び１１８を有してもよく、この離間したポケット１１６及び１１８は、対応する磁石構成要素１１２及び１１４（図示されている）を保持するためのものである。接続基部２０は、ハウジング取り付け表面１１０及び接続基部の１２０の前壁部１２２から離間した中間壁部１２０を有してもよい。中間壁部１２０は、ハウジング３２の相互接続部材５４の開口部７２と嵌合するような寸法であってもよい。
【００２１】
接続基部２０は、ピボット戻り力を提供するための少なくとも１つの付勢磁石要素１２４及び１２６を有してもよい。例えば、接続基部２０は、付勢磁石要素を受容するような寸法のポケット１３２及び１３４をそれぞれ画定する一対の離間されたタブ１２８及び１３０を有してもよい。以下でより詳しく説明するように、接続基部２０の付勢磁石要素１２４及び１２６は、ハンドル１２の対応する付勢磁石要素と反発してもよい。各タブ部材１２８及び１３０は、ハンドル１２の対応する特徴部を受容するような寸法である開口部１３６及び１３８を画定してもよい。各開口部１３６及び１３８は、対応するタブ部材１２８及び１３０の各側端壁部１４０及び１４２へと延びてもよい。側端壁部１４０及び１４２は、磁石要素１２６及び１２４の各ポケット１３４及び１３２を画定する上壁１４４及び１４６に対して概ね横断してもよい。
【００２２】
図５Ａ及び５Ｂを参照して、図１の剃毛かみそりシステム１０の正面斜視組立図及び背面斜視組立図が、それぞれ図示されている。図５Ａに示されるように、接続基部２０は、ハンドル１２の基端部１６に対して枢動してもよい。ハンドル１２の基端部１６は、一対の離間されたアーム１５０及び１５２を有してもよい。各アーム１５０及び１５２は、付勢磁石要素１５４及び１５６を有してもよく、この付勢磁石要素１５４及び１５６は、タブ部材１２８及び１３０の対応する付勢磁石要素１２４及び１２６と反発する。各アーム１５０及び１５２の端部１５８及び１６０は、タブ部材１２８及び１３０の各開口部１３６及び１３８の内部に位置付けられてもよい。これにより、各アーム１５０及び１５２の端部１５８及び１６０は、対応するタブ１２８及び１３０の上壁１４４及び１４６と底壁１７０及び１７２との間の対応する開口部１３６及び１３８の内部で枢動してもよい。上壁１４４及び１４６並びに底壁１７０及び１７２はまた、過剰枢動を防止するための停止表面として機能してもよい。静止状態において、各アーム１５０及び１５２の端部１５８及び１６０は、対応する付勢磁石要素により生成される反発力により各上壁部１４４及び１４６から離間されていてもよい（例えば、付勢磁石要素１５４は付勢磁石要素１２４を反発し、及び付勢磁石要素１２６の付勢磁石要素１５６）。
【００２３】
取り外し可能なかみそりカートリッジ３０は、相互接続部材５４を接続基部２０に係合することによりハンドル１２に取り付けられてもよい。接続基部２０の中間壁部１２０は、相互接続部材５４の開口部７２によって受容されてもよい。ハンドル取り付け表面５６は、取り外し可能なかみそりカートリッジ３０を接続基部２０に一時的に固定するために、接続基部２０のハウジング取り付け表面１１０と係合してもよい。磁石要素１１２及び１１４は、対応し対向する磁石要素５８及び６０と位置合わせされ、及びこれらに対して磁気的に引き付けられてもよい。対向する磁石要素間（例えば、磁石要素１１２と磁石要素５８の間）の力の方向は、相互接続部材５４を接続基部２０から取り外す及び接続基部２０に取り付けるのに必要とされる力に対して概ね横断してもよい（例えば、この力はハンドル１２の細長い把持部分１４に対して概ね平行であってもよい）。
【００２４】
図６は、取り外し可能なかみそりカートリッジ３０がハンドル１２に（接続基部２０によって）固定された状態の、図１の剃毛かみそりシステム１０の拡大正面図である。図６に示されるように、皮膚係合部材４０及び／又はガード３４は、加熱器バー２２の横方向端部分８４及び８６の間に位置合わせされてもよい。加えて、クリップ４２ａ及び４２ｂは、加熱器バー２２の各ノッチ８８及び９０内部に位置付けられてもよい。クリップ４２ａ及び４２ｂは、良好な熱伝導特性を有する金属（アルミニウムなど）を含んでもよい。ノッチ８８及び９０は、クリップ４２ａ及び４２ｂに対して熱の伝達を促進してもよい（例えば、加熱器バー２２は、ノッチ８８及び９０を介してクリップ４２ａ及び４２ｂに接触してもよい）。これにより、熱は、ブレード３８の前に伝達されるばかりでなく、ブレード３８の両側部並びに皮膚係合部材４０及び／又はガード３４にも伝達されてもよい。更に、ブレード３８は、金属（例えば、鉄）を含み、クリップと接触するので、熱はまた金属クリップ４２ａ及び４２ｂからブレード３８に伝達され、剃毛ストローク中の皮膚表面に伝達される熱量を最適化する。加熱器バー２２の皮膚接触面１０６は、皮膚係合部材４０及び／又はガード３４に実質的に隣接して位置付けられているのが示される。これにより、加熱器バー２２の皮膚接触面１０６、皮膚係合部材４０及び／又はガード３４は全て、剃毛ストローク中のユーザーの皮膚に接触されてもよい（例えば、同じ平面上で）。
【００２５】
図７を参照すると、剃毛かみそりシステム１０は、電流が、コンタクト２０４を介して電源２０２（例えば、１つ以上の使い捨て又は再充電可能バッテリなど）によって供給される電気回路２００を含んでもよい。電源２０２は、ハンドル１２の内部（例えば、細長い把持部分１４）に位置付けられてもよい。電気回路２００は、スイッチ２０６によって閉じられ、これはボタン２０８を押すことによってユーザーにより起動されてもよい。ＬＥＤ  ２１０は、電力が入れられているか、又は停止されているかをユーザーに示すようにハンドル１２に提供される。ＬＥＤ  ２１０は、ハンドル１２の透明区域に配置されてもよく、又はハンドル１２内の開口部を貫通して延びてもよい。ＬＥＤ  ２１０は、図７に示される以外のハンドル１２の区域に配置してもよく、又は省略してもよい。ＬＥＤ  ２１０は、加熱器バー２２２が温かいか、温まりつつあるか、加熱器バー２２が熱すぎるかどうか、及び剃毛かみそりシステム１０の他の特性を示してもよい。
【００２６】
図８を参照して、加熱器バー２２は、放熱するのに効果的な任意の材料を含んでもよい。加熱器バー２２に適した材料は、アルミニウム、銅、金、スチール、真鍮、ニッケルなどの金属、及び好ましい金属であるアルミニウムとこれらとの合金である。列挙された金属と類似した放熱特性を有する他の材料もまた、使用されてもよい。加熱器バー２２は、それが剃毛中のユーザーの皮膚と直接接触する状態になり得るので、ユーザーに改善された経験を提供するためにコーティングされるか、又は非平坦化されてもよい。例えば、加熱器バー２２は、小さな突出部若しくはバンプで非平坦化されてもよく、並びにポリフルオロカーボンなどのポリマー組成物でコーティングされてもよい。
【００２７】
加熱器バー２２は、皮膚接触面１０６、及び皮膚接触面１０６と反対側の下面又は第２表面２２０を含む。加熱要素２２２は、加熱器バー２２の第２表面２２０の下方に位置決めされる。加熱要素２２２は、抵抗性部材２２４と絶縁性部材２２６とを含んでもよい。抵抗性部材２２４は、第１表面２２８及び反対側の第２表面２３０を有する。絶縁性部材２２６は、第１表面２３２及び反対側の第２表面２３４を有してもよい。絶縁性部材２２６の第１表面２３２は、加熱器バー２２の第２表面２２０に接合される。絶縁性部材２２６の第２表面２３４は、抵抗性部材２２４の第１表面２２８に接合される。
【００２８】
加熱要素２２２は、第２絶縁性部材２３６を含んでもよい。第２絶縁性部材２３６は、第１表面２３８及び反対側の第２表面２４０を有してもよい。第２絶縁性部材２３６の第１表面２３８は、抵抗性部材２２４の第２表面２３０に接合されてもよい。
【００２９】
絶縁性部材２２４は、第１端部及び反対側の第２端部を有してもよい。電気コンタクトは、抵抗性部材２２４の各端部においてそれぞれ提供されてもよい。電気コンタクトは、銀を含んでもよい。他の導電性材料、例えば、アルミニウム、銅、金、スチール、真鍮、ニッケル、及びこれらの合金は、電気コンタクトに使用されてもよい。電流リードは、電気コンタクトに固定されて、エネルギーを抵抗性部材２２４に供給して抵抗性部材２２４を加熱するように構成される電気回路の一部を形成する。加熱要素２２２の抵抗性部材２２４は、加熱器バー２２の上方又は皮膚接触面１０６に放散される熱を加熱器バー２２に供給し、剃毛中のユーザーの皮膚に温かさを提供する。
【００３０】
絶縁性部材２２６は、ガラス、ガラス−セラミック、セラミック、オキシド、又は他の誘電体材料で構成されてもよい。抵抗性部材２２４は、導電性粉末で充填されたゾル−ゲル溶液で構成されてもよい。コーティングは、均一で安定した分散をもたらすために、ゾル−ゲル溶液を約９０重量％までの導電性粉末の溶液と混合することによって形成してもよい。好適な抵抗性部材は、国際公開第０２／０７２４９５（Ａ２）号に開示されている。抵抗性部材はまた、ニッケル、クロム、金、スチール、及び他の材料から構成されてもよい。抵抗性部材は好ましくは、約０．１Ω〜約１００Ω、より好ましくは約０．５Ω〜約２０Ω、最も好ましくは２Ωの抵抗を有する。第２絶縁性部材２３６は、ガラス、ガラス−セラミック、セラミック、オキシド、又は他の誘電体材料で構成されてもよい。抵抗性部材は、ゾル−ゲルプロセス、噴霧、浸漬、回転、刷毛塗り、印刷、スパッタリング、接着、又は他の好適な技法によって絶縁性部材に接合されてもよい。抵抗性部材２２４は、加熱器バー２２の皮膚接触面１０６を約３０℃〜約７０℃に加熱するのに十分なほどに温められてもよい。
【００３１】
本明細書に記載の（すなわち、反発力ではなく、引力を及ぼす）磁石要素５８、６０、１１２及び１１４は、磁力によって引力を及ぼす構成要素であってもよく、又は磁力によって引っ張られる構成要素であってもよいことが理解される。例えば、ハンドル取り付け表面の磁石要素は、金属を引き付ける材料であってもよく、ハウジング取り付け表面の磁石要素は、ハンドル取り付け表面の磁石要素によって引っ張られる金属材料（例えば、金属表面）を含んでもよい（またその逆も然り）。特定の実施形態では、ハンドル取り付け表面及びハウジング取り付け表面の双方の磁石要素は、より改善された係合のために磁力を及ぼしてもよい。本明細書に記載の任意の磁石要素は、セラミック磁石、アルニコ磁石、サマリウムコバルト磁石、ネオジム磁石、電磁石、又はこれらの組み合わせを含んでもよい。更に、本明細書に記載の任意の磁石要素はまた、剃毛環境によって生じる腐食に対する耐性を持たせるためにめっきされてもよく又はコーティングされてもよい（例えば、プラスチック、ゴム、又はニッケルによって）。
【００３２】
本明細書で開示する寸法及び値は、列挙された正確な数値に厳密に限られるとして理解されるべきではない。むしろ、特に断りがない限り、このような寸法は、列挙されている値と、その値周辺の機能的に同様の範囲の双方を意味するように意図されている。例えば、「４０ｍｍ」と開示された寸法は、「約４０ｍｍ」を意味することを意図する。
【００３３】
相互参照されるか又は関連する全ての特許又は特許出願、及び本願が優先権又はその利益を主張する任意の特許出願又は特許を含む、本願に引用される全ての文書は、特に除外すること又は限定することを明言しない限り、その全容にわたって本願に援用するものである。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明全てを教示、示唆、又は開示するとはみなされない。更に、本文書における用語の任意の意味又は定義が、参照することによって組み込まれた文書内の同じ用語の意味又は定義と競合する程度に、本文書におけるその用語に与えられた意味又は定義が適用されるものとする。
【００３４】
本発明の特定の実施形態が例示され記載されてきたが、本発明の趣旨及び範囲から逸脱することなく他の様々な変更及び修正を実施できることが当業者には自明であろう。したがって、本発明の範囲内に含まれるそのような全ての変更及び修正は、添付の特許請求の範囲にて網羅することを意図したものである。
【図１】
2016539743.tif 000003
【図２Ａ】
2016539743.tif 000004
【図２Ｂ】
2016539743.tif 000005
【図３】
2016539743.tif 000006
【図４】
2016539743.tif 000007
【図５Ａ】
2016539743.tif 000008
【図５Ｂ】
2016539743.tif 000009
【図６】
2016539743.tif 000010
【図７】
2016539743.tif 000011
【図８】
2016539743.tif 000012
【国際調査報告】
2016539743.tif 000013
2016539743.tif 000014